(57)【要約】  本発明は、スイッチング装置を作動させるための作動軸と、作動軸を駆動するための駆動手段と、駆動手段と作動軸との間に接続されたばね手段と、作動軸の回転をブロックするためのブロッキング手段と、を備える、真空インタラプタなどのスイッチング装置を作動させるための装置に関する。本発明は、このような装置と、少なくとも１つの可動接点を有するスイッチング装置との組合せにも関する。
2017539065.tif 000002
【特許請求の範囲】
【請求項１】
真空インタラプタなどのスイッチング装置を作動させるための装置であって、
スイッチング装置を作動させるための作動軸と、
該作動軸を駆動するための駆動手段と、
該駆動手段と前記作動軸との間に接続されたばね手段と、
前記作動軸の回転をブロックするためのブロッキング手段と、
を備えることを特徴とする装置。
【請求項２】
前記作動軸の回転をブロックする位置と、前記作動軸の回転を解放する位置との間で前記ブロッキング手段を制御するための制御手段をさらに備える、請求項１記載の装置。
【請求項３】
前記ばね手段は、一方の端部が前記作動軸に、他方の端部が前記駆動手段に取り付けられた、前記作動軸の周囲に配置されたねじりばねを含む、請求項１または２記載の装置。
【請求項４】
前記駆動手段は、前記作動軸に回転可能に配置された歯車を含み、前記ねじりばねの前記他方の端部は、前記歯車に配置されている、請求項３記載の装置。
【請求項５】
前記ブロッキング手段は、溝およびピンと、前記溝および前記ピンのうちの一方を有する可動なブロッキング部分とを有しており、前記作動軸は、前記溝および前記ピンのうちの他方を有する、請求項１から４までのいずれか１項記載の装置。
【請求項６】
前記作動軸に配置された歯車と、該歯車に係合するラックとを備え、前記駆動手段は、リニアアクチュエータを含み、前記ばね手段は、一方の端部が前記ラックに、前記他方の端部が前記リニアアクチュエータに取り付けられて配置されている、請求項１または２記載の装置。
【請求項７】
前記ブロッキング手段は、前記ラックに配置された溝と、該溝と係合するように可動なピンとを有する、請求項６記載の装置。
【請求項８】
作動軸と可動接点との間にトランスミッションが配置されている、請求項１から７までのいずれか１項記載の装置と、少なくとも１つの可動接点を有するスイッチング装置との組合せ。
【請求項９】
前記トランスミッションは、前記作動軸に配置された、半径方向に延びる第１のロッドと、一方の端部が前記第１のロッドに、他方の端部が前記可動接点に取り付けられてヒンジ状に配置された第２のロッドとを有するロッドシステムを備える、請求項８記載の組合せ。
【請求項１０】
前記スイッチング装置は、真空インタラプタである、請求項８または９記載の組合せ。
【発明の詳細な説明】
【技術分野】
【０００１】
本発明は、真空インタラプタなどのスイッチング装置を作動させるための装置に関する。
【背景技術】
【０００２】
公知のモータ制御されるスイッチング装置またはスイッチギヤでは、モータが、クランクを備える作動軸を駆動し、このクランクは、スイッチング装置に配置されたばねに接続されている。作動軸を駆動することによって、ばねが伸長させられる。クランクが死点を通過すると、ばねはスイッチング装置を切り替える。
【０００３】
例えば、欧州特許第２５７５１５３号明細書はこのような配列を開示している。これらの装置は、短時間で切り替えることができない。なぜならば、作動軸を回転させるために時間がかかり、内部ばねがスイッチング装置を切り替えるときの死点が明確に規定されていないからである。
【０００４】
１つの可能性は、作動軸を高速で駆動することであるが、これは、より大きな駆動手段と、より高い駆動力に耐えるためのより重いリンク機構とを必要とする。
【発明の概要】
【発明が解決しようとする課題】
【０００５】
本発明の課題は、上述の欠点を低減またはさらには防止することである。
【課題を解決するための手段】
【０００６】
この課題は、
スイッチング装置を作動させるための作動軸と、
作動軸を駆動するための駆動手段と、
駆動手段と作動軸との間に接続されたばね手段と、
作動軸の回転をブロックするためのブロッキング手段と、
を備える、本発明による装置によって解決される。
【０００７】
駆動手段と作動軸との間に配置されたばね手段は、ばね手段における駆動エネルギの貯蔵を可能にする。駆動手段を継続させながら、内部ばねがスイッチング装置を切り替えるときの死点の直前に作動軸をブロックすることによって、ばね手段は緊張する。ばね手段が十分に緊張すると、駆動手段は停止される。ここで、スイッチング装置が切り替えられる必要があるとき、ブロッキング手段は、作動軸を解放するように制御され、これにより、ばねエネルギを解放させることができ、作動軸を、スイッチング装置の死点を超えてさらに回転させることができる。
【０００８】
作動軸が死点の直前にブロックされ、エネルギがばねエネルギに貯蔵されるので、作動軸と、ばね手段に貯蔵されたエネルギとを解放することによって、スイッチング装置を従来技術よりも短時間で切り替えることが可能である。
【０００９】
本発明の好適な実施の形態は、さらに、作動軸の回転をブロックする位置と、作動軸の回転を解放する位置との間でブロッキング手段を制御するための制御手段を備える。
【００１０】
これらの制御手段は、例えば、ソレノイドであってもよく、ソレノイドは、作動軸を解放するために単に電気的に作動させることができ、スイッチング装置を迅速にスイッチングさせる。
【００１１】
本発明による装置の別の好適な実施の形態では、ばね手段は、一方の端部が作動軸に、他方の端部が駆動手段に取り付けられて作動軸の周囲に配置されたねじりばねを含む。
【００１２】
好適には、駆動手段は、作動軸に回転可能に配置された歯車を有しており、ねじりばねの他方の端部は、歯車に配置されている。
【００１３】
歯車は、電気モータによって容易に駆動することができ、作動軸がブロッキング手段によってブロックされると、歯車のさらなる回転がねじりばねを緊張させる。電気モータを停止させることは、スイッチング装置を切り替えるためにブロッキング手段が解放されるまで、ねじりばねを緊張した状態に保つ。
【００１４】
本発明による装置の別の実施の形態では、ブロッキング手段は、溝およびピンと、溝およびピンをうちの一方を有する可動なブロッキング部分とを有し、作動軸は、溝およびピンのうちの他方を有する。
【００１５】
溝およびピンの使用は、確実なブロッキング機構を提供するが、ピンを溝から取り出して作動軸を解放するのにほとんど力がかからない。
【００１６】
溝は、ピンが当接するカム状の突出部として成形することができる。なぜならば、ブロッキング動作は一方の回転方向でのみ行われるからである。
【００１７】
本発明による装置のさらに別の実施の形態は、作動軸に配置された歯車と、歯車に係合するラックとを備え、駆動手段は、リニアアクチュエータを有し、ばね手段の一方の端部はラックに、他方の端部はリニアアクチュエータに配置されている。
【００１８】
ラックおよび歯車の使用は、作動軸の線形駆動の可能性を提供する。ラックとリニアアクチュエータとの間に配置されたばねは、作動軸がブロックされたときに、ばねを緊張させることができ、スイッチング装置が切り替えられる必要がある瞬間に解放されるようにエネルギを貯蔵できることを保証する。
【００１９】
好適には、ブロッキング手段は、ラックに配置された溝と、溝と係合するように可動なピンとを有する。
【００２０】
ラックが線形に移動するので、ラック内の溝と、溝に挿入されるピンとは、作動軸の単純なブロッキングを提供する。もちろん、ラック内の溝をカムとして提供できることも明らかである。
【００２１】
ラックは、例えば、第１のラック部分がリニアアクチュエータに接続され、第２のラック部分がばねによって第１のラック部分に配置された、分割ラックであってもよい。
【００２２】
本発明は、本発明による装置と、少なくとも１つの可動接点を有するスイッチング装置との組合せにも関し、この場合、作動軸と可動接点との間にトランスミッションが配置される。
【００２３】
本発明による組合せの好適な実施の形態では、トランスミッションは、作動軸に配置された、半径方向に延びる第１のロッドと、一方の端部が第１のロッドに、他方の端部が可動接点に取り付けられてヒンジ状に配置された第２のロッドとを有するロッドシステムを備える。
【００２４】
互いにヒンジ状に配置された２つのロッドのロッド機構が、単に作動軸を回転させることによって、スイッチング装置の内部ばねのための容易な圧力上昇を提供する。
【００２５】
好適には、スイッチング装置は、真空インタラプタである。
【００２６】
本発明のこれらの特徴およびその他の特徴について、添付の図面に関連して説明する。
【図面の簡単な説明】
【００２７】
【図１】本発明による組合せの第１の実施の形態の概略図を示している。
【図２】本発明による装置の第２の実施の形態の概略図を示している。
【発明を実施するための形態】
【００２８】
図１は、本発明による組合せの第１の実施の形態１の概略図を示している。実施の形態１は、機構４に接続されたクランク３を備える作動軸２を有する。この機構４自体は、真空インタラプタ６の可動な接点ロッド５に接続されている。
【００２９】
ディスク７は、作動軸２に固定して配置されている。このディスク７は、溝８を有しており、溝８において、ソレノイド１０のピン９が、作動軸２の回転をブロックするように延びている。
【００３０】
歯車１１が、作動軸２にさらに設けられている。この歯車１１には、例えば、軸受が設けられており、これにより、歯車１１は、作動軸２の周囲を自由に回転することができる。
【００３１】
ねじりばね１２が、歯車１１と作動軸２との間に配置されており、これにより、ねじりばね１２は、歯車１１を回転させることによって緊張させることができるのに対し、作動軸２は、ソレノイド１０のピン９によってブロックされる。
【００３２】
歯車１１は、第２の歯車１３によって駆動され、第２の歯車１３自体は、電気モータ１４によって駆動される。
【００３３】
ばね１２が緊張すると、電気モータ１４が停止され、装置１は、ソレノイド１０によってピン９を引っ込めることによって真空インタラプタを切り替える準備ができる。これは、ばね１２を弛緩させ、作動軸２をさらに回転させ、死点を通過するように軸２を移動させ、真空インタラプタ６を閉鎖する。
【００３４】
図２は、本発明による装置２０の第２の実施の形態の概略図を示している。この装置２０は、適切な機構を介してスイッチング装置（図示せず）に接続された作動軸２１を有する。歯車２２は、作動軸２１に配置されており、ラック２３に係合する。
【００３５】
ラック２３は、ばね２５を介してラック２３に接続されたアクチュエータ２４によって線形に移動される。ラック２３は、ソレノイド２８のピン２７によって係合されるピン２６を底部に有しており、これにより、ラックをさらに移動させることができない。ラック２３がピン２７によってブロックされながらアクチュエータ２４がさらに移動させられると、ばね２５に張力が提供される。
【００３６】
ここでピン２７が引っ込められると、ラック２３は解放され、緊張したばね２５によって右へ引っ張られ、これにより、作動軸２１がさらに回転し、スイッチング装置が死点を超えて移動する。
【図１】
2017539065.tif 000003
【図２】
2017539065.tif 000004
【国際調査報告】
2017539065.tif 000005
2017539065.tif 000006